(57)【要約】【課題】  店舗において、クーポン券を適切に活用する。【解決手段】  一取引において値引情報を入力する値引情報入力手段と、前記入力された値引情報に基づいて、値引対象の商品を特定する特定手段と、前記入力された値引情報に基づいて、前記特定手段で特定された商品の値引金額を算出する値引額算出手段と、前記値引額算出手段にて算出された値引金額を、該一取引で購入された商品に対して負担金額として配分する配分手段とを備える。【選択図】図３
2019194781.tif 000002
【特許請求の範囲】
【請求項１】
一取引において値引情報を入力する値引情報入力手段と、
前記入力された値引情報に基づいて、値引対象の商品を特定する特定手段と、
前記入力された値引情報に基づいて、前記特定手段で特定された商品の値引金額を算出する値引額算出手段と、
前記値引額算出手段にて算出された値引金額を、該一取引で購入された商品に対して負担金額として配分する配分手段とを備える商品販売データ処理装置。
【請求項２】
請求項１に記載の商品販売データ処理装置を備える商品販売データ処理システム。
【請求項３】
前記特定手段で特定された商品と、前記値引額算出手段で算出された値引金額を並べて表示する表示手段を備える請求項２に記載の商品販売データ処理システム。
【請求項４】
前記配分手段で負担金額が配分された商品と負担金額を出力する出力手段を備える請求項２又は請求項３に記載の商品販売データ処理システム。
【請求項５】
前記配分手段で負担金額が配分された商品及び負担金額を記憶する記憶手段を備え、前記記憶された各商品毎の販売金額及び負担金額、または、値引後の金額を集計する集計手段を備える請求項２から請求項４のいずれかひとつに記載の商品販売データ処理システム。
【請求項６】
一取引においてクーポン識別情報を入力する入力ステップと、
前記入力されたクーポン識別情報に基づいて、クーポン対象の商品を特定する特定ステップと、
前記入力されたクーポン識別情報に基づいて、前記特定された商品の値引金額を算出する算出ステップと、
前記算出ステップにて算出された値引金額を、該一取引で購入された商品に配分する配分ステップとをコンピュータに実行させる商品販売データ処理プログラム。
【発明の詳細な説明】
【技術分野】
【０００１】
本発明は、量販店などで使用するＰＯＳ端末等の商品販売データ処理装置、商品販売データ処理システム及び商品販売データ処理装置に用いられるプログラムに関する。
【背景技術】
【０００２】
量販店・スーパーマーケットにおいて、集客のためにクーポン券を発行することがある。クーポン券としては、メーカーが販売促進のために発行するものや、店舗の部門担当者（バイヤー）が自部門の売上アップの為に発行するものや、店舗全体で特売やセールのために発行するものなどがある。そして、店舗における販売状況に応じて、クーポン券の割引率等を決定するクーポン発行管理装置は知られている。（特許文献１）
【先行技術文献】
【特許文献】
【０００３】
【特許文献１】特開２０１０−２１８４８３号公報
【発明の概要】
【発明が解決しようとする課題】
【０００４】
店舗集客のためにクーポン発行が有効である。例えば条件により値引対象の商品を指定するクーポン券があるが、条件の設定により、最高値の商品や、特定部門の商品が指定されると、客にとってはクーポン適用の結果が明確にわかるので好ましいが、店舗の部門間では、ある商品、ある部門にクーポン適用が偏るため集客面の貢献に反して売上高という点では不公平感を発生させる。
【０００５】
本発明は、上記の事情を鑑みたものであり、店舗において、クーポン券を適切に活用することを目的とする。
【課題を解決するための手段】
【０００６】
本発明の一実施形態は、一取引において値引情報を入力する値引情報入力手段と、前記入力された値引情報に基づいて、値引対象の商品を特定する特定手段と、前記入力された値引情報に基づいて、前記特定手段で特定された商品の値引金額を算出する値引額算出手段と、前記値引額算出手段にて算出された値引金額を、該一取引で購入された商品に対して負担金額として配分する配分手段とを備える商品販売データ処理装置である。
【発明の効果】
【０００７】
本実施形態によれば、店舗において、クーポン券を適切に活用することができる。
【図面の簡単な説明】
【０００８】
【図１】本発明の一実施形態の商品販売データ処理装置の機能ブロック図である。
【図２】本発明の一実施形態の商品販売データ処理装置のハード構成図である。
【図３】本発明の一実施形態の商品販売データ処理装置の処理フロー図である。
【図４】本発明の一実施形態の商品販売データ処理装置において使用されるクーポン情報を記憶するクーポン企画テーブルの構成図である。
【図５】本発明の一実施形態の商品販売データ処理装置において使用されるクーポン券の一例及びクーポン券のバーコードに記録される情報の構成図である。
【図６】本発明の一実施形態の商品販売データ処理装置における商品登録画面の一例である。
【図７】本発明の一実施形態の商品販売データ処理装置における商品登録画面の一例である。
【図８】本発明の一実施形態の商品販売データ処理装置において出力されるレシート及び電子ジャーナルの一例である。
【図９】本発明の一実施形態の商品販売データ処理装置における値引額配分テーブルの一例である。
【図１０】本発明の一実施形態の商品販売データ処理装置における配分処理の一例を説明するための図である。
【発明を実施するための形態】
【０００９】
−商品販売データ処理システムの構成−
本発明の一実施形態に係る商品販売データ処理システムは、店舗内に配置される上位サーバーと、上位コントローラと、ＰＯＳレジスタ等の一つもしくは複数のＰＯＳ端末１０等を有している。
上位サーバーと、上位コントローラと、ＰＯＳ端末（商品販売データ処理装置）１０とは、有線または無線のＬＡＮ（Local Area Network）などのネットワークを介して相互に接続されている。
【００１０】
なお、上記本実施形態の商品販売データ処理システムの構成例は一例であって、商品販売データ処理システムを構成する各装置は、どのような形態で構成されていてもよい。
例えば、上位サーバーと上位コントローラが一体となっているものでも、上位コントローラとＰＯＳ端末（商品販売データ処理装置）１０が一体となったものでもよく、ＰＯＳ端末（商品販売データ処理装置）１０の機能を登録装置と精算装置等の複数の装置に分担させるものでもよい。
【００１１】
−商品販売データ処理装置−
本実施形態のＰＯＳ端末（商品販売データ処理装置）１０は、店舗等に配置され、顧客が購入する商品の登録処理を行い、登録された商品の合計金額を算出し、算出した合計金額に基づいて精算処理を行う装置として構成されている。
【００１２】
また、本実施形態のＰＯＳ端末１０は、商品の購入に際し、必要に応じて顧客の会員カードの情報を入力する。また、顧客がクーポン券等を提示した場合には、該クーポン券に関するクーポン情報の入力処理を行い、入力したクーポン情報に応じて商品の売価から値引き処理を行って、購入する商品全体の合計金額を算出する。例えば、クーポン情報に基づいて値引きの対象となる商品を特定し、特定された商品の情報（価格）及びクーポン情報に基づいて特定された商品の値引金額を算出し、そのうえで商品全体の合計金額を算出する。
【００１３】
本実施形態のＰＯＳ端末１０は、顧客が購入する商品の商品情報を登録する登録処理、登録した商品情報に基づいて商品の精算処理等を行う制御部１００を有し、商品の登録処理やクーポン券に記録されたクーポン情報を読み取るためのバーコードリーダー、会員カード等の情報を読み取るためのカードリーダー、ＲＦ（Ｒａｄｉｏ  Ｆｒｅｑｕｅｎｃｙ）リーダ等の入力装置２０１、タッチパネル等の表示装置２０２、精算の際にレシート等の発行を行う印刷装置２０３を備えている。
【００１４】
ＰＯＳ端末１０は、店員などの商品を登録する操作（商品登録操作）に応じて登録処理を実行する。商品登録操作としては、例えば、入力装置２０１を用いて商品に付されているバーコードを読み取らせる操作、あるいは表示装置２０２に表示される商品登録画面に配置されたプリセットキー等に対する操作などがある。ＰＯＳ端末１０は、商品登録操作によって、顧客が購入する商品の商品識別情報を入力し、入力した商品識別情報に対応する商品情報を上位サーバーの商品マスタ等から取得する。
【００１５】
ＰＯＳ端末１０は、顧客が提示した会員カード等の情報を入力する会員情報入力処理を実行する。また、ＰＯＳ端末１０は、顧客が提示したクーポン券等に記録されているクーポン情報（値引情報）を入力するクーポン情報入力処理を実行する。クーポン情報は、当該クーポン券の使用条件、クーポン券の使用による割引率又は値引金額などを含む。
【００１６】
会員情報の入力は、カードリーダー等によって会員カードの会員識別情報等を読み取ることによって行うことができる。また、クーポン情報の入力は、クーポン券等に印刷されたバーコードもしくはスマートフォンの画面に表示されたバーコード等のコードを、バーコードリーダー等の入力装置２０１によって読み取る操作などによって行われる。あるいは表示装置２０２に表示される商品登録画面に配置されたプリセットキーに対する操作によっても行うことができる。
【００１７】
ＰＯＳ端末１０は、会員カード等から読み取った会員識別情報、クーポン券等のバーコードから読み取ったクーポン識別情報（企画番号）に基づいて、上位サーバーのマスタ等から会員情報、クーポン情報を取得（入力）する。
なお、以下に説明する値引は、クーポン券による値引だけなく、会員カード等による会員値引等も含み、会員値引情報を含む会員情報及びクーポン情報を値引情報という。ただし、以下の説明では、値引情報として主にクーポン情報を用いて説明する。
【００１８】
クーポン情報入力処理（値引情報入力処）を実行したＰＯＳ端末１０は、入力したクーポン情報（クーポン券の使用条件）等に基づいて、登録処理によって登録された商品のうちのどの商品に対してクーポン情報（割引率又は値引金額）を適用するかを特定する商品特定処理を実行する。
【００１９】
ＰＯＳ端末１０は、商品特定処理において特定されたクーポン情報を適用する対象商品に対して、該対象商品の商品情報及びクーポン情報に記憶された割引率又は値引金額に基づいて値引額を算出する値引額算出処理を実行する。
【００２０】
ＰＯＳ端末１０は、登録処理により登録された商品情報及び値引額算出処理により算出した値引金額等の値引情報を、表示装置２０２に表示する。前記値引情報の表示は、例えば商品の登録画面中に表示され、クーポン券による値引の対象となる商品が分かるように、また、いくらの値引が行われるかが分かるように登録画面中の商品情報に併せて表示する。
【００２１】
ＰＯＳ端末１０は、店員もしくは顧客の小計キー等の操作等に応じて、一取引における商品の登録処理を完了し、精算に用いられる情報（以下、「精算情報」という）を算出する。
【００２２】
精算情報は、当該精算情報を識別するための精算情報識別情報、登録日時、登録された各商品の商品識別情報、登録された各商品の商品名、販売価格、購入対象の商品の品数を示す取引点数（購入点数）、購入対象の商品の総額（合計金額）、値引き情報等を含む。また、精算情報は、当該精算情報を算出したＰＯＳ端末１０を識別するための端末識別情報をさらに含んでもよい。
【００２３】
ＰＯＳ端末１０は、店員もしくは顧客の現計キー等の操作等に応じて、精算処理を実行する。精算処理は、現金に限らず、現金、電子マネー、クレジットカード、キャッシュカード（デビットカード）などの決済手段によって行う処理である。ＰＯＳ端末１０は、必要に応じて、印刷装置によって一取引に関するレシート等を出力する。この時、レシート等にも商品情報に併せて値引情報を出力する。
【００２４】
そして、ＰＯＳ端末１０は、一取引においてクーポン券の使用が認められた場合には、クーポン券の使用による値引額を、該一取引において取引された各商品に対して適切に負担させる配分処理を実行する。そして、配分処理によって各商品に負担させた各負担金額を記憶装置に記憶する。
【００２５】
さらに、ＰＯＳ端末１０は、前記記憶装置に記憶した前記商品の販売金額や各負担金額、もしくは値引後の金額を該商品が所属する部門別に集計する集計処理を実行し、前記集計処理にて集計された情報を部門別又は商品別に出力する。
【００２６】
ＰＯＳ端末１０の機能ブロック図の一例を図１に示す。
ＰＯＳ端末１０は、ＰＯＳ制御手段１０１と、値引情報入力手段１０４と、特定手段１０５と、値引額算出手段１０６と、配分手段１０７と、を備えている。
【００２７】
前記ＰＯＳ制御手段１０１は、ＰＯＳ端末１０全体を総括して制御する手段であり、例えば顧客の購入する商品の商品登録処理を実行する登録手段１０２、精算処理を行う精算手段１０３等を含む。また、前記ＰＯＳ制御手段１０１は、入力もしくは算出された各情報を、適宜メモリなどの記憶装置に記憶する記憶手段、記憶手段から読み出したり算出したりした情報を出力する出力手段、情報を表示装置２０２に表示する表示手段として機能する。
また、顧客が提示した会員カード等の情報を入力する会員情報入力処理を実行する。
【００２８】
前記値引情報入力手段１０４は、顧客が提示したクーポン券等に関連する値引情報を入力する値引情報入力処理を実行する。また、場合によっては、顧客が提示した会員カード等の情報を入力する会員情報入力処理を実行し、会員値引情報を取得（入力）する。
【００２９】
前記特定手段１０５は、値引情報入力手段１０４により入力された値引情報に基づいて、値引情報が適用されて値引される商品を特定する商品特定処理を実行する。
前記値引額算出手段１０６は、前記特定手段１０５によって特定された商品の商品情報及び値引情報入力手段１０４によって入力された値引情報に基づいて、値引額を算出する値引額算出処理を実行する。
【００３０】
前記配分手段１０７は、値引情報に基づいて値引が行われた際に、一取引における値引額を該一取引で販売された商品に対して負担金額として配分する配分処理を実行する。前記ＰＯＳ制御手段１０１は、配分手段１０７によって各商品に配分された負担金額を記憶装置に記憶する。
【００３１】
また、前記配分手段１０７は、前記記憶装置に記憶された各商品に配分された負担金額について、該各商品が所属する部門別に集計する集計処理を実行する集計手段として機能する。前記ＰＯＳ制御手段１０１は、集計された部門別の負担金額もしくは商品別の負担金額を出力する。
【００３２】
以上説明したＰＯＳ端末１０のブロック図の一例を、図２に示すブロック図を用いて説明する。
本実施形態のＰＯＳ端末１０は、制御部として、ＣＰＵ１１と、ＲＯＭ１２と、ＲＡＭ１３と、メモリ１４と、ネットワークＩ／Ｆ１５と、入力装置Ｉ／Ｆ１６と、表示装置Ｉ／Ｆ１７と、印刷装置Ｉ／Ｆ１８などを有している。
そして、バーコードスキャナ等の入力装置２０１、タッチパネル等の表示装置２０２、プリンタ等の印刷装置２０３と接続されている。
ＣＰＵ１１は、コンピュータを構成し、ソフトウエアプログラムの命令を実行する。ＲＯＭ１２は、ＣＰＵ１１上で動作するためのプログラム等を予め記憶している。なお、プログラム等は、ＣＤ−ＲＯＭなどの可搬型記憶媒体に記憶させ、ＣＤ−ＲＯＭドライブなどの外部装置により読み取るように構成してもよい。
【００３３】
ＲＡＭ１３は、プログラムの記憶及びソフトウエアが動作するために必要なワーク記憶エリアとして使用される。
メモリ１４は、ハードディスク装置等から構成され商品マスタ等の情報を記憶する記憶装置である。
ネットワークＩ／Ｆ１５は、ネットワーク４０上に接続された手段とデータのやり取りを行うための回路である。
入力装置Ｉ／Ｆ１６は、バーコードスキャナ等の入力装置２０１との入出力を行うための回路である。
表示装置Ｉ／Ｆ１７は、タッチパネル等の表示装置２０２との入出力を行うための回路である。
印刷装置Ｉ／Ｆ１８は、プリンタ等の印刷装置２０３との入出力を行うための回路である。
【００３４】
本発明の一実施形態の商品販売データ処理システムにおける商品販売データ処理の手順（商品販売データ処理プログラムによる処理）の一例を、図３に示すフローチャートを参考にして説明する。
【００３５】
ＰＯＳ端末１０は、店員などによって、商品を登録する操作（商品登録操作）がなされたか否かを判断し（S101）、商品登録操作がなされたと判断した場合には、商品の登録処理（S103）を実行する。
また、商品登録操作がなされていないと判断した場合には、クーポン情報等の値引情報の入力操作がなされたか否かを判断し（S102）、値引情報の入力操作がなされたと判断した場合には、値引情報入力処理（S104）を実行する。
【００３６】
ステップS103において登録処理が実行されると、もしくは、ステップS104において値引情報入力処理が実行されると、ＰＯＳ端末１０は、入力された情報に値引情報が含まれているか否かを判断する（S105）。すなわち、当該取引において、クーポン券等の読み取りが行われたか否かを判断する。
【００３７】
ステップS105において、入力された情報に値引情報が含まれていると判断されると、ＰＯＳ端末１０は、それ以前に入力された商品情報及び値引情報に基づいて、値引の対象とする商品を特定する商品特定処理を実行し、特定した該商品を値引の対象商品として記憶装置に記憶する（S106）。ここで、値引対象商品がすでに記憶装置に記憶されていた場合には、商品特定処理によって新たに値引対象商品として特定された商品によって更新する。
例えば、登録処理(S103)において、新たな商品が登録され、該新たな商品が値引対象商品としてより適当（例えば高額）であれば、先に値引対象商品として特定された商品に変えて新たな商品を値引対象商品として特定する。
【００３８】
値引の対象とする商品が特定されたら、ＰＯＳ端末１０は、該クーポン対象商品として記憶された商品の商品情報（価格）及びクーポン情報（値引情報）に基づいて、クーポン券の使用によって発生する値引額を算出する値引額算出処理を実行し、算出した値引額を記憶装置に記憶する（S107）。なお、値引額がすでに記憶されていた場合には、新たに算出された値引額によって更新する。
【００３９】
そして、ＰＯＳ端末１０は、登録処理によって登録された商品の商品情報を表示装置に表示するとともに、特定された値引対象商品の情報に対して、割引率や値引額等の値引情報を併せて表示装置２０２に表示する（S108）。
【００４０】
ＰＯＳ端末１０は、上記のステップS101からステップS108を、店員等によって小計キーが操作されるまで繰り返す。
すなわち、本実施形態のＰＯＳ端末１０においては、商品の登録時の任意のタイミングにおいて、クーポン情報（値引情報）を入力することができ、また、商品が登録される毎、もしくは、値引情報が入力される毎にクーポン券の利用に関する値引情報を更新して表示装置２０２に表示している。
【００４１】
顧客が購入する商品の登録が終了し、小計キーが操作されると（S110でYes）、ＰＯＳ端末１０は、登録された商品情報（価格等）及び入力された値引情報（値引額等）に基づいて、顧客が購入する商品の合計金額等を含む精算情報を算出し、精算情報を表示装置２０２に表示する。
なお、精算情報の表示についても、登録処理によって登録された商品の商品情報とともに、決定された値引対象商品に併せて値引情報（値引額等）を表示する。
【００４２】
ＰＯＳ端末１０は、店員等が表示装置２０２に表示された精算情報について、顧客の希望する決済手段に基づいて処理を行い、現計キー等を操作することにより、精算処理を実行し、レシートを発行するとともに、釣銭等を排出する（S111）。
【００４３】
その後、ＰＯＳ端末１０は、当該一取引においてクーポン券等が利用された場合には、登録された商品の中から該クーポン券等の利用によって発生した値引額を負担させる商品及び該負担させる額を算出する配分処理を実行する（S112）。
例えば、一取引において登録されたすべての商品を、該値引額を負担させる商品として設定し、値引額を商品の価格に応じて按分して負担金額を算出し、該各商品に対する負担金額（値引額）を記憶装置に記憶する
また、必要に応じて、配分処理において、算出した各商品が負担する負担金額を、該商品が所属する部門別に集計し、集計された情報を部門別又は商品別に出力する。
【００４４】
なお、上記実施形態においては、顧客の商品の登録時（ステップS101〜S108）にクーポン情報（値引情報）の入力を行うようになっているが、小計キーが操作された後でも、現計キーの操作以前であればクーポン情報の入力を行うことができるようにしてもよい。
その場合には、小計キーが操作されることで商品の合計金額が算出されるが、その後にクーポン情報が入力されることで、商品決定処理及び値引額算出処理が実行され、合計金額が再計算される。
また、上記のフローには、会員情報の入力について記載されていないが、会員情報の入力は、例えば、商品の登録時で小計キーが操作されるまでの間に行えばよい。
以上、本実施形態のＰＯＳ端末における、一取引における処理について説明した。
【００４５】
−クーポン情報（値引情報）―
次に、本実施形態のＰＯＳ端末１０におけるクーポン情報について、説明する。
店舗への集客を目的にクーポンが発行、配布される。広告やチラシ、クーポン券などの紙媒体に印刷、もしくはスマートフォンなどの電子端末に表示されるバーコードに、クーポン情報を識別するためのクーポン識別情報（企画番号）が記録されている。
【００４６】
クーポン識別情報（企画番号）は、クーポン券の使用により適用される値引情報に付与される識別情報であり、企画番号を含む値引情報がクーポン企画テーブルとして例えば上位サーバー等に記憶されている。
ＰＯＳ端末１０は、クーポン券のバーコード等に記録された企画番号を読み取ることにより、上位システム等からクーポン情報を取得することができる。
【００４７】
クーポン情報が記憶されたクーポン企画テーブルＴ１の一例を、図４（ａ）に示す。
図４（ａ）に示す例のクーポン企画テーブルＴ１には、「区分」、「企画番号」、「対象」、「兼用」、「クーポン名称」、「制限個数」、「値引」、「対象金額」、「有効期間」等の情報が記録されている。
【００４８】
「区分」は、クーポンが商品に対する割引のクーポンであるのか、小計に対する割引のクーポンであるのか等を示す情報である。「企画番号」は、クーポン情報を識別するための識別情報である。「対象」は、クーポンが対象とする顧客（会員であるのか、一般の買い物客であるのか等）の情報である。「兼用」は、クーポンの他のクーポンとの兼用の可否に関する情報である。「クーポン名称」は、クーポンの名称の情報である。「制限個数」は、クーポン情報を適用することができる商品の個数の情報である。「値引」は、値引情報であり、商品の価格に対する割引率もしくは商品価格からの値引額の情報である。「対象金額」は、クーポンが適用できる商品の金額範囲の情報である。「有効期間」は、クーポン利用の開始日と終了日の情報である。
【００４９】
例えば、企画番号１００１のクーポン券（クーポン情報）は、商品に対する割引をするクーポン券であり（区分＝割引）、顧客限定のないクーポン券である（対象＝一般）。他のクーポン券と兼用して使用することができ（兼用＝〇）、クーポン情報による値引を適用できる商品は１である（制限個数＝１）。値引きは、商品価格の１０％の値引を行い（値引率＝１０）、１００円以上１，０００円以下の商品に対してクーポンが使用できる（下限価格＝１００円，上限価格＝１，０００円）。クーポン券の有効期間は、２０１８年４月３０日までである。
【００５０】
また、例えば、企画番号２００１のクーポン券（クーポン情報）は、小計に対する割引をするクーポン券であり（区分＝小計割引）、会員限定で適用されるクーポンである。なお、企画番号２００１ないし２００３は、クーポン券として発行されるものではなく顧客の会員カード等を読み取ることによって、自動的に適用されるようにしてもよい。
【００５１】
次に、クーポン情報が記憶された他のクーポン企画テーブルＴ２の一例を、図４（ｂ）に示す。
図４（ｂ）に示す例のクーポン企画テーブルＴ２には、「区分」、「企画番号」、「クーポン名称」、「対象分類」、「対象商品」、「割引率」が記憶されている。
【００５２】
「対象分類」は、クーポン情報を適用できる分類の種類で、該分類に属している商品に対してクーポン情報を適用することができる。「対象商品」は、分類もしくは商品の種類であり、クーポン情報を適用できる対象分類もしくは商品である。
【００５３】
例えば、企画番号３００３のクーポン券は、対象となる商品分類が中分類であって「国産牛」が指定されており、国産牛以外の商品には適用できないクーポン券である。また、企画番号３００７のクーポン券は、特定のメーカーが主に該メーカー製品の宣伝、販売促進のために発行したクーポン券であり、該メーカーの商品以外には用いることができない。
【００５４】
なお、上記のクーポン企画テーブルを用いることなく、クーポン券に印刷されたバーコード等に値引情報を直接記録することで、クーポン情報の入力を行うこともできる。
例えば、図５（ａ）に示すクーポン券のバーコードに、図５（ｂ）に示すように項目を設定することで、上位サーバー等に問い合わせることなくＰＯＳ端末１０で値引情報を取得（入力）することができる。
以上、クーポン情報についての説明を行った。
【００５５】
−商品特定処理及び値引額算出処理−
ＰＯＳ端末１０は、顧客が購入する商品の登録処理中に、クーポン券の読み取り操作に基づいて値引情報入力処理が実行されると、入力された値引情報に基づいて値引の対象とする商品を特定し（商品特定処理）、続いて、クーポン使用による値引額を算出する（割引額算出処理）。
【００５６】
例えば、入力されたクーポン情報（値引情報）の企画番号が「１００１」である場合には、特定手段１０５は、購入する商品での価格が１００円から１，０００円以下の商品の中から最も高価な商品を割引の対象商品として特定し、値引額算出手段１０６は、該対象商品の価格の１０％を割引額として算出する。
なお、仮に、クーポン情報の制限個数が「２」である場合には、価格が１００円から１，０００円以下の商品の中で価格の高い商品から２つの商品を対象商品として決定し、それぞれ値引額を算出することとなる。
【００５７】
また、入力されたクーポン情報（値引情報）の企画番号が「３００４」である場合には、特定手段１０５は、対象となる小分類である「菓子パン」に該当する商品を対象商品として特定し、値引額算出手段１０６は、該対象商品の価格の１０％を値引額として算出する。
【００５８】
また、入力されたクーポン情報（値引情報）の企画番号が「２００１」である場合には、特定手段１０５は、購入する商品すべてを対象商品として決定し、値引額算出手段１０６は、該対象商品の合計金額の１０％を値引額として算出する。
【００５９】
以上の特定手段１０５及び値引額算出手段１０６によって出力された情報は、商品の登録時において、表示装置２０２の商品登録画面５０及び客用表示装置３０１の商品登録画面（客用）６０に随時表示される。
本実施形態のＰＯＳ端末１０における商品登録画面５０の一例を、図６（ａ）に示す。また、顧客側の表示装置に表示される商品登録画面（客用）６０の一例を、図６（ｂ）に示す。
【００６０】
商品登録画面５０は、商品の登録時に表示装置２０２に表示され、商品登録欄５０１、合計表示欄５０２、登録商品一覧５０３、プリセットキー５０４、小計キー５０５を有している。
また、商品登録画面（客用）６０は、登録商品一覧（客用）６０１、合計表示欄（客用）６０２を有している。
【００６１】
図６に示す例は、商品の登録時に、企画番号１００１のクーポン情報（値引情報）が入力された状態を示している。なお、クーポン情報（値引情報）の入力は、クーポン券に表示されたバーコードを読み取ることで行ってもよいが、商品登録画面５０のプリセットキー５０４に配置された１割引クーポンキー５０４ａを操作することによって行ってもよい。
【００６２】
本例においては、企画番号１００１の１割引クーポンのクーポン情報（値引情報）が入力されることで、商品特定処理が実行され、登録された商品のうちの価格が１００円から１，０００円以下の商品のなかで最も価格の高い「ほうれん草（５００円）」が１割引クーポンの対象商品として特定されている。
続いて、割引額算出処理が実行されることで、ほうれん草の価格の５００円の１０％である５０円が値引額として算出されている。
【００６３】
ＰＯＳ端末１０は、商品登録画面５０の登録商品一覧５０３に、登録された各商品に併せて１割引クーポンの欄５０３ｂを表示する。これにより、店員は、クーポン情報（値引情報）を漏れなく入力したことを確認することができる。
また、ＰＯＳ端末１０は、商品登録画面５０の登録商品一覧５０３に、ほうれん草の欄５０３ａに併せて1割引クーポンによる値引情報（１０％，−５０）を表示する。これにより、店員はほうれん草に対してクーポン券による値引が適用され、かつ、値引額が５０円であったことを把握することができ、クーポンが適切に適用されたことを確認することができる。
【００６４】
同様に、ＰＯＳ端末１０は、商品登録画面（客用）６０の登録商品一覧６０１に、登録された各商品に併せて１割引クーポンの欄６０１ａを表示し、ほうれん草の欄６０１ｂに併せて1割引クーポンによる値引情報（１０％，−５０）を表示する。これにより、顧客は提示したクーポン券が適切に使用され、適切に値引がされていることを確認することができる。
【００６５】
なお、顧客が購入する商品の登録処理中にクーポン券の読み取り操作が行われることによって、図７（ａ）に示すように、登録処理画面に読み取ったクーポン情報をポップアップ表示等するようにしてもよい。
また、ＰＯＳ端末１０は、クーポン券の読み取り操作によって入力されたクーポン情報が適用外である場合には、商品登録画面５０に適宜ポップアップ等のアラート表示を行うようにしてもよい。
例えば、クーポン券の有効期間が過ぎている場合には、図７（ｂ）に示すポップアップ表示を行い、兼用不可のクーポン券である場合には、図７（ｃ）に示すポップアップ表示を行えばよい。また、登録した商品の中にクーポン情報を適用することができる商品が存在しない場合には、図７（ｄ）に示すポップアップ表示を行うようにしてもよい。
なお、図７（ｄ）に示すクーポン情報を適用することができる商品が存在しないことを示すアラート表示は、小計キー操作時に行うようにしてもよい。
また、会員限定のクーポン券の情報が入力されたときには、会員情報の入力を求めるアラートをポップアップ等により表示してもよい。
【００６６】
次に、上記一取引において発行されたレシート７０及び電子ジャーナル８０の一例を、図８に示す。
図８（ａ）に示すレシート及び図８（ｂ）に示す電子ジャーナルについても、ＰＯＳ端末１０は、商品一覧に、ほうれん草の欄５００ａ，６００ａに併せて1割引クーポンによる値引情報（１０％，−５０）を表示する。これにより、顧客はほうれん草に対してクーポン券による値引が適用され、かつ、値引額が５０円であったことを把握することができ、クーポンが適切に適用されたことを確認することができる。
【００６７】
以上のように、本実施形態の商品登録データ処理装置においては、クーポン券が使用された場合には、購入した商品のどの商品に対してクーポンによる割引が適用されたのかがわかるように表示もしくは印刷されるので、顧客のクーポンの利用に対する満足度を向上させることができる。
【００６８】
−配分処理−
ＰＯＳ端末１０は、クーポン情報（値引情報）に基づいて商品の値引処理が実行された場合には、該値引処理によって生じた値引分を、当該一取引において購入された商品に配分する配分処理を実行する。
【００６９】
本実施例のＰＯＳ端末１０は、例えば上位サーバー等に記憶された配分テーブルに基づいて、値引額の配分処理を実行する。
配分テーブルの一例を、図９に示す。配分テーブルには、クーポン情報の企画番号と配分のための計算式を対応させて記憶されており、精算時に使用されたクーポン券の企画番号に応じて配分の計算式が決定され、決定された計算式に基づいて配分処理が実行される。
【００７０】
図９に示す例では、企画番号１００１ないし企画番号１００３のクーポン券については、通常最も高額な商品に対して値引きが適用されることから、値引金額の負担が偏らないように、値引金額は購入された全商品によって按分するように設定されている。
【００７１】
企画番号２００１のクーポン券については、「会員」を対象としたクーポンであり、小計割引のクーポンであることから、値引金額は自動的に全商品で按分される。
【００７２】
企画番号３００１のクーポン券については、対象商品が全商品であることから、企画番号１００１ないし企画番号１００３のクーポン券と同様に、通常最も高額な商品に対して値引きが適用されるので、値引額は全商品で按分をするように設定されている。
【００７３】
企画番号３００３及び企画番号３００６のクーポン券については、対象商品の分類や商品自体が指定されており、仕入れの多い商品について使用されることもあるので、また、他の商品が必ずしもついでに購入されたものとは限らないことから、特定された商品が値引金額の半分を負担し、残りの半分を他の商品で按分するように設定されている。
【００７４】
企画番号３００７のクーポン券については、「メーカー発行クーポン」であり、通常、メーカーの商品の宣伝を兼ねて行われるものであるから、値引額はクーポン対象商品が全額負担（メーカーが負担）するように設定されている。
以上のように、クーポン券の種類によって値引金額の負担の配分を設定することによって、クーポン券の使用が偏ることによって生じる不公平感を抑制することができる。
【００７５】
なお、本実施形態において、各クーポン券に対応させている配分（計算式）は、一例であって、分配方法は、適宜設定することができ、必要に応じて変更等も行うことができる。
【００７６】
図１０に、本実施形態のＰＯＳ端末１０による配分の一例を簡単に説明する。
例えば、図６に示す取引において、企画番号１００１のクーポン券と企画番号２００１のクーポン券が使用された場合を想定する。
まず、企画番号１００１のクーポン券の値引情報に基づいて、購入する商品のうち最も高価な商品であるほうれん草が対象商品として特定され、ほうれん草の価格の１０％である５０円が値引額として算出される。
また、企画番号２００１のクーポン券の値引情報に基づいて、小計９５０円の１０％である９５円が値引額として算出される。
したがって、当該一取引においては、企画番号１００１のクーポン券による５０円と企画番号２００１のクーポン券による９５円の合計１４５円が値引される。
【００７７】
本例において、図９に示す配分テーブルには、企画番号１００１のクーポン情報については、計算式によって全商品で按分に設定されているので、値引額である５０円は、ほうれん草ときゅうりと洗剤の価格に応じて按分され、それぞれほうれん草が２５円、きゅうりが１０円、洗剤が１５円の負担金額となる。
また、企画番号２００１のクーポン情報についても、計算式によって全商品で按分に設定されているので、値引額である９５円は、ほうれん草ときゅうりと洗剤の価格に応じて按分され、それぞれほうれん草が４７円、きゅうりが１９円、洗剤が２９円の負担金額となる。
そして、それらの合計を各商品が負担する負担金額として算出することができる。
【００７８】
以上、本実施形態の商品販売データ処理装置においては、クーポン券が使用された際には、クーポン券に応じて、一取引において購入される各商品に対して値引金額の適切な負担を設定することができるので、偏った部門への利益の減額の集中を防ぐことができ、不公平感を低減することができる。
【００７９】
また、本実施形態におけるＰＯＳ端末１０において使用されたクーポン情報を集計して、顧客の情報を分析することもできる。例えば、どのようなクーポン券が集客に有効であるかを把握することや、クーポン情報に配布期間、配布地域などの情報を付加し、ＰＯＳ端末１０において使用した客層、年齢・年代、性別などの情報を入力することにより、以後のクーポン券の発行の参考にすることができる。
【００８０】
また、商品販売データ処理装置が登録装置と精算装置とを別体にしたものであってもよいことは、前述の通りであるが、その際には、登録装置においてのみクーポン情報の入力を可能としてもよいし、さらに精算装置においても、クーポン情報の入力を可能にしてもよい。
【００８１】
また、小計キーの操作時に、利用するクーポン券の入力漏れがないかを確認する報知をおこなってもよい。報知は、音声による報知であっても表示装置に表示されるものであってもよい。
【００８２】
なお、以上の実施形態は，請求項に記載された発明を限定するものではなく，例示として取り扱われることは言うまでもない。
【符号の説明】
【００８３】
１０      ：ＰＯＳ端末
１０１    ：ＰＯＳ制御手段
１０２    ：登録手段
１０３    ：精算手段
１０４    ：値引情報入力手段
１０５    ：特定手段
１０６    ：値引額算出手段
１０７    ：配分手段
２０１    ：入力装置
２０２    ：表示装置
２０３    ：印刷装置
３０１    ：客用表示装置
【図１】
2019194781.tif 000003
【図２】
2019194781.tif 000004
【図３】
2019194781.tif 000005
【図４】
2019194781.tif 000006
【図５】
2019194781.tif 000007
【図６】
2019194781.tif 000008
【図７】
2019194781.tif 000009
【図８】
2019194781.tif 000010
【図９】
2019194781.tif 000011
【図１０】
2019194781.tif 000012